(57)【要約】【課題】ユーザの生活パターンに合致した服薬時間に服薬を促す。【解決手段】  医薬品情報取得部１１によりユーザが服薬する医薬品の医薬品情報を取得し、取得した医薬品情報を医薬品情報記憶部１２に記憶し、医薬品を服薬すべき服薬時間に、通知部１３がユーザに服薬を促す通知をし、ユーザが医薬品を服薬した時刻及び曜日を含む服薬状況情報を服薬状況情報記憶部１４に記憶し、服薬時間決定部１５が医薬品情報と服薬状況情報に基づいて、服薬すべき服薬時間を更新する。【選択図】図１
2011215744.tif 000002
【特許請求の範囲】
【請求項１】
ユーザが服薬する医薬品の医薬品情報を取得する医薬品情報取得部と、
取得した前記医薬品情報を記憶する医薬品情報記憶部と、
前記医薬品を服薬すべき服薬時間に、前記ユーザに服薬を促す通知を行う通知部と、
前記ユーザが前記医薬品を服薬した時刻及び曜日を含む服薬状況情報を記憶する服薬状況情報記憶部と、
前記医薬品情報と前記服薬状況情報に基づいて、前記服薬時間を更新する服薬時間決定部と、
を有することを特徴とする服薬支援装置。
【請求項２】
ユーザが服薬する医薬品の医薬品情報を取得する医薬品情報取得部と、
取得した前記医薬品情報を記憶する医薬品情報記憶部と、
前記医薬品を服薬すべき服薬時間に、前記ユーザに服薬を促す通知を行う通知部と、
前記ユーザが前記医薬品を服薬した時刻及び服薬場所を含む服薬状況情報を記憶する服薬状況情報記憶部と、
前記医薬品情報と前記服薬状況情報に基づいて、前記服薬時間を更新する服薬時間決定部と、
を有することを特徴とする服薬支援装置。
【請求項３】
前記ユーザの位置情報を取得し、前記位置情報を前記服薬状況情報記憶部に通知する位置情報取得部を更に有することを特徴とする請求項２に記載の服薬支援装置。
【請求項４】
前記服薬状況情報と前記ユーザからの入力に基づいて前記医薬品の服薬履歴を管理する服薬履歴管理部を更に有し、
前記服薬履歴管理部は、服薬忘れがある場合に、前記服薬時間の通知時の状況とともに、予測される残りの医薬品数を提示することを特徴とする請求項１乃至３の何れか一項に記載の服薬支援装置。
【請求項５】
前記ユーザが服薬する前記医薬品が正しいものか否かを照合する医薬品照合部を更に有し、
前記医薬品情報取得部は、前記ユーザが服薬する前記医薬品を撮像し、
前記医薬品照合部は、前記医薬品情報をもとに、撮像した前記医薬品が、正しいものか否かを照合することを特徴とする請求項１乃至４の何れか一項に記載の服薬支援装置。
【請求項６】
前記医薬品照合部は、ネットワークを介して医薬品データベースに問い合わせて、撮像した前記医薬品を照合することを特徴とする請求項５に記載の服薬支援装置。
【請求項７】
医薬品情報取得部によりユーザが服薬する医薬品の医薬品情報を取得し、
取得した前記医薬品情報を医薬品情報記憶部に記憶し、
前記医薬品を服薬すべき服薬時間に、前記ユーザに服薬を促す通知をし、
前記ユーザが前記医薬品を服薬した時刻及び曜日を含む服薬状況情報を服薬状況情報記憶部に記憶し、
前記医薬品情報と前記服薬状況情報に基づいて、服薬すべき前記服薬時間を更新することを特徴とする服薬支援方法。
【請求項８】
医薬品情報取得部によりユーザが服薬する医薬品の医薬品情報を取得し、
取得した前記医薬品情報を医薬品情報記憶部に記憶し、
前記医薬品を服薬すべき服薬時間に、前記ユーザに服薬を促す通知をし、
前記ユーザが前記医薬品を服薬した時刻及び服薬場所を含む服薬状況情報を服薬状況情報記憶部に記憶し、
前記医薬品情報と前記服薬状況情報に基づいて、服薬すべき前記服薬時間を更新することを特徴とする服薬支援方法。
【発明の詳細な説明】
【技術分野】
【０００１】
本発明は、服薬支援装置及び服薬支援方法に関する。
【背景技術】
【０００２】
調剤室を備えた薬局では、病院で作成された処方せんを薬剤師が受け取り、患者（以下、ユーザという。）に薬剤を処方する。ユーザは、その氏名、医薬品の種類、服薬時間などの用法、個数などの服薬すべき用量が記載された薬袋、または説明書を医薬品とともに受け取り、その説明に従ってその医薬品を服薬することになる。
【０００３】
近年、処方せんに医薬品の種類、その服薬時間や服薬個数などの情報がＱＲコードによって表示されるようになってきている。ＱＲコードとは、白と黒の格子状のパターンで情報を表すマトリックス型二次元コードである。これにより薬局などの薬剤師は、処方せんのＱＲコードから必要な情報を読み取って薬剤の処方を行うことができ、処方ミスや説明書への記載ミスを低減することができる。
【０００４】
本来、ユーザの側では、服薬方法を指示する服薬指導せんの記載などに従って、決められた時間に所定量を服薬する。しかし、ユーザは最初のうちは服薬のことを覚えていても、症状の変化によっては徐々に服薬を忘れてしまう場合が多かった。
【０００５】
そこで、こうしたユーザの服薬忘れを防ぐため、所定時間に服薬を促すアラームを鳴らす装置などが種々に考えられている。また、ユーザ固有の起床時刻、朝食時刻、昼食時刻、夕食時刻などを生活パターンデータとして記憶し、生活パターンデータに基づき所定の時刻に服薬すべき薬の情報をユーザに通知する手法が知られている。
【先行技術文献】
【特許文献】
【０００６】
【特許文献１】特開２００９−１２５３８６号公報
【特許文献２】特開２００６−７９５３６号公報
【特許文献３】特開２００５−２７６１９１号公報
【特許文献４】特開２００３−３１０７１５号公報
【発明の概要】
【発明が解決しようとする課題】
【０００７】
しかしながら、ユーザの生活パターンは日によっても異なること場合が多い。たとえば、平日と休日とでは服薬できる状況や環境（たとえば、職場と自宅など）が異なる場合が多く、ユーザにとって服薬に都合のよい時間が異なることが考えられる。従来の手法では、そのようなユーザの生活パターンに合致した服薬時間（服薬すべき時間）をユーザに提供することは困難であった。
【課題を解決するための手段】
【０００８】
発明の一観点によれば、ユーザが服薬する医薬品の医薬品情報を取得する医薬品情報取得部と、取得した前記医薬品情報を記憶する医薬品情報記憶部と、前記医薬品を服薬すべき服薬時間に、前記ユーザに服薬を促す通知を行う通知部と、前記ユーザが前記医薬品を服薬した時刻及び曜日を含む服薬状況情報を記憶する服薬状況情報記憶部と、前記医薬品情報と前記服薬状況情報に基づいて、前記服薬時間を更新する服薬時間決定部と、を有する服薬支援装置が提供される。
【０００９】
また、発明の他の一観点によれば、ユーザが服薬する医薬品の医薬品情報を取得する医薬品情報取得部と、取得した前記医薬品情報を記憶する医薬品情報記憶部と、前記医薬品を服薬すべき服薬時間に、前記ユーザに服薬を促す通知を行う通知部と、前記ユーザが前記医薬品を服薬した時刻及び服薬場所を含む服薬状況情報を記憶する服薬状況情報記憶部と、前記医薬品情報と前記服薬状況情報に基づいて、前記服薬時間を更新する服薬時間決定部と、を有する服薬支援装置が提供される。
【発明の効果】
【００１０】
開示の服薬支援装置及び服薬支援方法によれば、ユーザの生活パターンに合致した服薬時間に服薬を促すことができる。
【図面の簡単な説明】
【００１１】
【図１】第１の実施の形態に係る服薬支援装置を示した図である。
【図２】第１の実施の形態に係る服薬支援装置による服薬支援方法の処理の流れを示すフローチャートである。
【図３】第２の実施の形態に係る服薬支援装置を示した図である。
【図４】第３の実施の形態に係る服薬支援装置を示した図である。
【図５】第３の実施の形態に係る服薬支援装置のハードウェア構成の一例を示すブロック図である。
【図６】図４の服薬支援装置における服薬時間の変更・調整手順の一例を示す図である。
【図７】図４の服薬支援装置に格納されるデータの具体例を示す図である。
【図８】昼食時間に係る服薬時間を調整するための具体例を示す図である。
【図９】服薬時間決定部に格納されるデータの具体例を示す図である。
【図１０】第３の実施の形態の服薬支援装置による服薬支援方法の処理の流れを示すフローチャートである。
【図１１】図１０の服薬時間更新ステップの具体例を示すフローチャートである。
【図１２】第４の実施の形態に係る服薬支援装置を示した図である。
【図１３】図１２の服薬支援装置における服薬忘れを確認するための確認画面の一例を示す図である。
【図１４】服薬履歴確認処理の具体例を示すフローチャートである。
【図１５】第５の実施の形態に係る服薬支援装置を示した図である。
【図１６】図１５の服薬支援装置における服薬すべき医薬品種類を確認するための確認画面の一例を示す図である。
【図１７】医薬品情報比較照合処理の具体例を示すフローチャートである。
【発明を実施するための形態】
【００１２】
（第１の実施の形態）
以下、第１の実施の形態を、図面を参照して詳細に説明する。
図１は、第１の実施の形態に係る服薬支援装置を示した図である。
【００１３】
同図において、服薬支援装置１０は医薬品情報取得部１１、医薬品情報記憶部１２、通知部１３、服薬状況情報記憶部１４、服薬時間決定部１５、入力部１６、計時部１７を有している。
【００１４】
医薬品情報取得部１１は、医薬品の医薬品情報を取得する。医薬品情報取得部１１として、たとえばＱＲコードなどの二次元コードを読み取るカメラが用いられる。また、医薬品情報取得部１１は、ネットワークにより、図示しないサーバから医薬品情報をダウンロードできる通信部であってもよい。
【００１５】
なお、医薬品情報とは、たとえば、ユーザに処方された１種あるいは複数種の医薬品の名称、医薬品の種類別に一回に服薬すべき個数、及びその服薬する時間帯などを含むユーザへの指示情報などを含む。
【００１６】
医薬品情報記憶部１２は、医薬品情報を保存し記憶する。通知部１３は、医薬品を服薬すべき服薬時間に、ユーザに服薬を促す通知を行う。たとえば、通知部１３は、服薬支援装置１０の図示しない表示部に、服薬を促す表示を行わせる。また、通知部１３は、音声アラームや振動アラームによって服薬を促すようにしてもよい。
【００１７】
なお、服薬時間の初期値は、たとえば、ユーザによって設定される。または、服薬時間の初期値は、取得される医薬品情報に予め含まれていてもよい。
服薬状況情報記憶部１４は、たとえばユーザが服薬した時刻及び曜日を含む服薬状況情報を記憶する。第１の実施の形態の服薬支援装置１０において、服薬状況情報は、ユーザ操作により入力部１６に入力された情報と、計時部１７からの時刻や曜日の情報をもとに生成される。
【００１８】
服薬時間決定部１５は、医薬品情報記憶部１２に記憶された医薬品情報と服薬状況情報記憶部１４に記憶された服薬状況情報に基づいて、服薬時間を更新する。
入力部１６は、たとえばタッチパネルやキーなどである。計時部１７は、たとえばタイマなどであり、時刻や日時などの情報を出力する。
【００１９】
図２は、第１の実施の形態に係る服薬支援装置による服薬支援方法の処理の流れを示すフローチャートである。
まず、医薬品情報取得部１１は、たとえば、医薬品に関する印字部（たとえば、２次元コード）から、医薬品情報を取得し（ステップＳ１）、医薬品情報記憶部１２がその医薬品情報を記憶する（ステップＳ２）。
【００２０】
通知部１３は、設定されている服薬時間に、ユーザに対して服薬を促す通知を行う（ステップＳ３）。このとき、入力部１６及び計時部１７からユーザが服薬した時刻及び曜日を含む服薬状況情報が取得されると（ステップＳ４）、服薬状況情報記憶部１４は、その服薬状況情報を記憶する（ステップＳ５）。そして、服薬時間決定部１５は、医薬品情報記憶部１２に記憶された医薬品情報と、服薬状況情報記憶部１４に記憶された服薬状況情報に基づいて、服薬時間を更新する（ステップＳ６）。その後、全医薬品に対して服薬が終了したか否かが判定され（ステップＳ７）、服薬が終了していれば服薬支援方法の処理が終了し、服薬が終了していなければステップＳ３からの処理が繰り返される。
【００２１】
以上のような第１の実施の形態の服薬支援装置１０によれば、ユーザが医薬品を服薬した時刻及び曜日を含む服薬状況情報をもとに、通知を行う服薬時間を更新することにより、ユーザの生活パターンに合致した服薬時間に服薬を促すことができる。特に、平日や休日など、曜日によって生活パターンが異なるユーザにとっても適切な服薬時間に、服薬を促すことができるようになる。これにより、ユーザの服薬忘れも低減できる。
【００２２】
（第２の実施の形態）
次に、第２の実施の形態に係る服薬支援装置について、図面を参照して詳細に説明する。
【００２３】
図３は、第２の実施の形態に係る服薬支援装置を示した図である。
図１に示した第１の実施の形態の服薬支援装置１０と同様の構成要素については同一符号を付し説明を省略する。
【００２４】
第２の実施の形態の服薬支援装置２０は、位置情報を取得する位置情報取得部１８を有しており、服薬状況情報記憶部１４は、ユーザが服薬した時刻及び服薬場所を含む服薬情報を記憶する。そして、服薬時間決定部１５は、服薬状況情報をもとに、服薬時間を更新する。
【００２５】
服薬支援装置２０の処理の流れは、図２で示したようなフローチャートとほぼ同様であるので図示を省略する。ただ、図２のステップＳ４の処理で、服薬状況情報として服薬時刻と、服薬場所が取得される点、ステップＳ６の処理で、服薬場所を考慮して服薬時間が更新される点が異なっている。これらの処理の詳細については後述する。
【００２６】
以上のような第２の実施の形態の服薬支援装置２０によれば、ユーザが医薬品を服薬した時刻及び服薬場所を含む服薬状況情報をもとに、通知を行う服薬時間を更新することにより、ユーザの生活パターンに合致した服薬時間に服薬を促すことができる。特に、日によって居場所が違うなど、日によって生活パターンが異なるユーザにとっても適切な服薬時間に、服薬を促すことができるようになる。これにより、ユーザの服薬忘れも低減できる。
【００２７】
（第３の実施の形態）
以下、第１及び第２の実施の形態に係る服薬支援装置１０，２０の機能を含んだ第３の実施の形態の服薬支援装置をより詳細かつ具体的に説明する。
【００２８】
図４は、第３の実施の形態に係る服薬支援装置を示した図である。
図１及び図３に示した服薬支援装置１０，２０と同様の構成要素については同一符号を付し説明を省略する。ボタン／タッチパネル３１、タイマ３２は、それぞれ服薬支援装置１０，２０の入力部１６、計時部１７に相当し、ＧＰＳ（全地球測位システム：Global Positioning System）は、服薬支援装置２０の位置情報取得部１８に相当する。また、第３の実施の形態の服薬支援装置３０は、加速度センサ／姿勢センサ３４を備えている。
【００２９】
このような服薬支援装置３０において、服薬状況情報記憶部１４は、ボタン／タッチパネル３１、タイマ３２、ＧＰＳ３３、加速度センサ／姿勢センサ３４からの情報を服薬状況情報として記憶する。
【００３０】
ユーザがボタン／タッチパネル３１を用いて、指示された医薬品を服薬した旨の情報を入力すると、それが服薬状況情報記憶部１４に記憶される。指定された服薬時間に服薬を忘れて、ユーザが服薬をした旨の情報を入力しなかった場合にも、服薬状況情報記憶部１４にはその旨が記憶される。
【００３１】
タイマ３２は、時刻及び曜日を含む日付を服薬状況情報記憶部１４に通知する。ＧＰＳ３３は、服薬支援装置３０を所持しているユーザの位置情報を服薬状況情報記憶部１４に通知する。加速度センサ／姿勢センサ３４は、服薬支援装置３０を所持しているユーザの移動状況を服薬状況情報記憶部１４に通知する。
【００３２】
服薬時間決定部１５では、服薬状況情報記憶部１４に記憶された情報をもとに、服薬時間を更新する。服薬時間の更新の例については、後述する。
図５は、第３の実施の形態に係る服薬支援装置のハードウェア構成の一例を示すブロック図である。
【００３３】
同図において、医薬品情報取得部（カメラ）１１、ボタン／タッチパネル３１、タイマ３２、ＧＰＳ３３、加速度センサ／姿勢センサ３４は、図４の服薬支援装置３０の各部構成と対応している。この服薬支援装置３０ａは、さらに表示部４１、通信部４２、メモリ４３、制御部４４を備えており、これらがそれぞれ共通にバスライン４５によって接続されている。
【００３４】
表示部４１では、医薬品情報取得部（カメラ）１１で取得された各種データや画像の表示制御を行う。通信部４２は、ボタン／タッチパネル３１の操作によりインターネットなどのネットワークに接続するための通信機能を備えている。メモリ４３は、制御部４４が実行するプログラムや、各種データ（たとえば、医薬品情報や、服薬状況情報など）を記憶する。制御部４４は、図５に示す各部を制御し、図４で示した医薬品情報取得部１１、医薬品情報記憶部１２、通知部１３、服薬状況情報記憶部１４、服薬時間決定部１５の機能を実現する。制御部４４は、たとえば、ＣＰＵ（Central Processing Unit）またはＭＰＵ（Micro Processing Unit）である。
【００３５】
次に、図４で示した服薬支援装置３０を用いた服薬支援方法の具体的な事例について説明する。
図６は、図４の服薬支援装置における服薬時間の変更・調整手順の一例を示す図である。
【００３６】
図６（Ａ）は、装置筺体１の外観構成を示すものであって、表示画面２ａは初期設定された服薬時間の一例を示す初期設定画面である。初期設定画面では、たとえば、自分の生活サイクルの平均的な時刻として、それぞれ７時に朝食をとり、１２時半に昼食をとり、１９時に夕食をとって、２２時に就寝するという生活データをユーザ自身がテンキー３より入力する。服薬支援装置３０は、この初期設定画面から入力されたデータを服薬状況情報として服薬状況情報記憶部１４に格納し、このデータと上述した医薬品情報記憶部１２に格納されているデータ（医薬品情報）に基づいて、所定の時刻になるとユーザに服薬を促すアラームを通知する。
【００３７】
図６（Ｂ）は、アラーム通知後に服薬時の服薬状況情報を取得するための服薬状況情報取得画面である。
服薬支援装置３０を所持するユーザは、１２時半直前に表示された表示画面２ｂを見て、２種類の医薬品（図では○○○、△△△）を昼食前に２錠ずつ服薬するように促される。ユーザが実際には、たとえば１３時になって昼食をとったとすると、ユーザはその時点でたとえば、表示画面２ｂのタッチパネルに触れて「服薬した」旨のデータを入力する。
【００３８】
このとき、服薬支援装置３０では、ボタン／タッチパネル３１及びタイマ３２から服薬時間として「１３：００」と「火曜日」が取り込まれる。また、ＧＰＳ３３から位置情報として「会社内」、加速度センサ／姿勢センサ３４から服薬時の状態データとして「静止状態」が取り込まれる。「後で服薬」が選択された場合の処理については後述する。
【００３９】
図６（Ｃ）は、上述した服薬時の服薬状況情報が繰り返し入力され、蓄積された後で、服薬時間の設定を自動変更、あるいはユーザ自身で修正するための変更・修正画面２ｃである。ここでは、服薬支援装置３０は、蓄積された服薬状況情報から、上述の服薬状況が、平日の決められた時間と場所での昼食中であると判断して、ユーザへの通知時刻を、昼食については１３時に変更している。
【００４０】
図７は、図４の服薬支援装置に格納されるデータの具体例を示す図であって、図７（Ａ）は医薬品情報記憶部の格納データ例、図７（Ｂ）は服薬状況情報記憶部の格納データ例である。
【００４１】
医薬品情報記憶部１２は、たとえば医薬品の種類、服薬時間区分、服薬個数、及び服薬期間の情報を記憶した医薬品情報のデータテーブル１０１を有する。また、服薬状況情報記憶部１４は、ユーザにより入力された服薬状況情報のデータテーブル１０２を有する。この服薬状況情報には、上述したようにタイマ３２で作成された曜日、日付、時間データ、ＧＰＳ３３から取り込まれた位置情報、加速度センサ／姿勢センサ３４から取り込まれた服薬時のユーザの移動状態、医薬品の種類、服薬個数が含まれている。
【００４２】
図８は、昼食時間に係る服薬時間を調整するための具体例を示す図である。
図８では、格納されたデータ１０３として、昼食時での服薬状況を示すものだけを６週にわたって示している。第１行には曜日（月曜、火曜、…日曜）を示し、第２行以下に服薬時間、服薬場所を示している。ただし、日曜のみ加速度センサ／姿勢センサ３４から服薬時の移動状況も示している。
【００４３】
服薬支援装置３０では、ユーザの月曜の昼食時間について、時間及び場所のばらつきが小さいと判断し、第７週の月曜について、それらの最頻値である１３時にアラーム時間の設定を変更する。同様に、火曜の昼食時間についても、第７週の火曜には最頻値である１３時にアラーム時間の設定が変更される。
【００４４】
また、服薬支援装置３０に格納されたデータ１０３のうち、日曜については、時間、場所ともにばらつきが大きい。そこで、服薬時間決定部１５は、「１２時半」、「自宅」を一つのグループａ）とし、「１３時」、「場所Ａ（スーパーマーケット）」を別のグループｂ）に区分けする。そして、服薬時間決定部１５は、第７週の日曜については、ユーザが自宅にいればグループａ）で対応し、スーパーマーケットにいればグループｂ）で対応することにする。なお、服薬時間決定部１５は、第３週については、旅行中であるなどの特殊状況であると判断して、グループ分類としてはグループａ）で代用する。
【００４５】
一般に、ユーザの生活パターンは曜日に依存している場合が多く、特に、平日には規則正しい生活が予測される。一方、週末や休日には旅行や買い物など、不規則な活動形態が多くなる。このため、服薬時間決定部１５は、曜日毎の服薬状況を集計する。
【００４６】
集計結果において、服薬時間及び場所などのばらつきが予め定めた範囲より小さい場合、服薬時間決定部１５は、その最頻値を次回の服薬時間として設定する。反対に、服薬時間及び場所などのばらつきが予め定めた範囲より大きい場合には、服薬時間決定部１５は、比較的ばらつきが小さくなるように複数のグループに分割して、それぞれの場合に適合する服薬時間を設定する。
【００４７】
図９は、服薬時間決定部に格納されるデータの具体例を示す図である。
図９でも、図８と同様に、昼食時での服薬状況を示すものだけを示している。この服薬時間決定部１５には、曜日単位で服薬情報が配置され、年月日及び時間データ、場所データ、服薬時の移動状態とともに、図８で説明した状況別に決定されるグループ分類を含むデータテーブル１０４が格納されている。
【００４８】
次に、第３の実施の形態に係る服薬支援装置３０における服薬時間の変更・調整手順について説明する。
図１０は、第３の実施の形態の服薬支援装置による服薬支援方法の処理の流れを示すフローチャートである。
【００４９】
まず、医薬品情報取得部１１は、処方せんからＱＲコード（２次元コード）を読み取る（ステップＳ１０）。これにより、図７（Ａ）に示したような医薬品情報が取り込まれる。
【００５０】
次に、服薬時間決定部１５は、ユーザが服薬支援装置３０を初めて使用するかどうかを判定する（ステップＳ１１）。初回の使用であれば、ユーザに自身の生活パターンに見あう服薬時間を手入力させるために、ステップＳ１２の処理が行われる。２回目以降であれば、前回までの情報を使用することにして、ステップＳ１３の処理が行われる。
【００５１】
ステップＳ１２の処理では、服薬支援装置３０は、図６（Ａ）に示したような初期設定の表示画面２ａを表示し、服薬状況情報の初期値を設定させる。
服薬時間がくると、服薬支援装置３０の通知部１３は、図６（Ｂ）に示したように、服薬を促す通知を行う（ステップＳ１３）。また、通知部１３は、たとえば音声アラームや振動アラームなどによってユーザに服薬時間になったことを知らせるようにしてもよい。その後、ステップＳ１４の処理が行われる。
【００５２】
ステップＳ１４の処理では、ボタン／タッチパネル３１、タイマ３２、ＧＰＳ３３、加速度センサ／姿勢センサ３４により、服薬状況情報が取得される。
次に、服薬時間決定部１５は、ボタン／タッチパネル３１で、ユーザにより図６（Ｂ）で示したような「服薬した」ボタンが押下されたか否か判定する（ステップＳ１５）。
【００５３】
「服薬した」ボタンが押下されなかった場合、服薬時間決定部１５は、「後で服薬」ボタンが押下されたか否か判定する（ステップＳ１６）。「後で服薬」ボタンが押下されなかった場合、特定時間のインターバルの経過後（ステップＳ１７）、通知部１３はステップＳ１３の処理を再び行う。「後で服薬」ボタンが押下された場合、服薬時間決定部１５は、通知部１３が一定時間後に再び、服薬を促す通知を行うように、服薬時間を調整する（ステップＳ１８）。その後、ステップＳ１７を介してステップＳ１３の処理が行われる。
【００５４】
一方、ステップＳ１５の処理で、「服薬した」ボタンが押下された場合、服薬時間決定部１５は、服薬状況情報記憶部１４に記憶された服薬状況情報をもとに、服薬時間を更新する（ステップＳ１９）。この処理については、次に図１１を用いて詳細に説明する。
【００５５】
その後、服薬支援装置３０は、服薬すべき全ての医薬品について服薬が終了したか否かを判断する（ステップＳ２０）。この処理については、全医薬品を服薬したことをユーザ入力によって判定してもよいが、服薬の履歴を管理する管理部を設けて、自動的に行ってもよい。ステップＳ２０の処理において、全ての医薬品の服薬が終了していなければ、ステップＳ１３からの処理が繰り返され、全ての医薬品の服薬が終了した場合には、服薬支援方法の処理が終了する。
【００５６】
図１１は、図１０の服薬時間更新ステップの具体例を示すフローチャートである。
まず、服薬時間決定部１５は、服薬状況情報記憶部１４に記憶された服薬状況情報のデータを、曜日及び服薬時間区分毎に整理し（ステップＳ３０）、区分されたデータ群別に実際の服薬時間及び服薬場所についての状態情報でグループ分けする（ステップＳ３１）。
【００５７】
その後、服薬時間決定部１５は、グループ分けされたデータ内から、代表となるデータ設定を決定し（ステップＳ３２）、実際に服薬時間として通知するデータについて、グループの最頻値を優先しつつ、優先順位を決定する（ステップＳ３３）。
【００５８】
以上のような、第３の実施の形態の服薬支援装置３０によれば、ユーザが実際に服薬した状況に応じて、服薬時間を更新していくので、日によって異なるユーザの生活パターンに合致した適切な服薬時間に、服薬を促すことができる。そのため、ユーザの服薬忘れを低減できる。
【００５９】
（第４の実施の形態）
次に、第４の実施の形態を、図面を参照して詳細に説明する。
図１２は、第４の実施の形態に係る服薬支援装置を示した図である。
【００６０】
図４に示した服薬支援装置３０と同様の構成要素については同一符号を付し説明を省略する。
図１２に示す服薬支援装置５０は、服薬状況情報、医薬品情報、ボタン／タッチパネル３１からのユーザによる入力情報をもとに、ユーザによる服薬の履歴を管理する服薬履歴管理部５１を備えている。服薬履歴管理部５１では、ユーザが服薬を忘れてしまった場合、または服薬したがボタン／タッチパネル３１の操作を怠って服薬状況情報が入力されなかった場合などにおいて、ユーザにその旨を通知する機能を備えている。
【００６１】
なお、このような服薬履歴管理部５１は、図５の制御部４４が、表示部４１やメモリ４３などと連動することで実現される。
図１３は、図１２の服薬支援装置における服薬忘れを確認するための確認画面の一例を示す図である。
【００６２】
図１３において、表示画面２ｄは服薬忘れを通知する通知画面であって、ユーザによって、「詳細」ボタンの押下がなされることによって、詳細な確認画面２ｅが提示される。服薬履歴管理部５１は、確認画面２ｅにおいて、医薬品情報と服薬状況情報をもとに、たとえば服薬忘れの可能性のある医薬品の種類、日時、場所、移動状況などを一覧にして提示する。この詳細な確認画面２ｅでは、９月２４，２５，２６日についてのデータが表示されている。そして、末尾にはその時点で予想される残りの医薬品の個数が種類別に提示されている。
【００６３】
図１４は、服薬履歴確認処理の具体例を示すフローチャートである。
まず、服薬履歴管理部５１は、医薬品情報と、ユーザによる服薬履歴を確認して飲み忘れの有無を確認する（ステップＳ４０）。飲み忘れが無い場合は、服薬履歴管理部５１は服薬履歴確認処理を終了する。
【００６４】
飲み忘れがあると判定された場合、服薬履歴管理部５１は、服薬履歴と医薬品情報をもとに、残りの医薬品数を算出し（ステップＳ４１）、算出した医薬品数をもとに、飲み忘れの有無をユーザに通知する（ステップＳ４２）。服薬履歴管理部５１は、詳細情報がユーザから要求されているか否かを判定し（ステップＳ４３）、要求されていなければ、服薬履歴確認処理を終了し、要求されている場合には、図１３に示したような詳細情報をユーザに通知する（ステップＳ４４）。
【００６５】
以上のような服薬履歴確認処理は、図１０で示した処理の間（たとえば、ステップＳ１４とステップＳ１５の処理の間）に自動的に行ってもよいし、ユーザにより服薬履歴の確認を求められた場合に行ってもよい。
【００６６】
このように、第４の実施の形態の服薬支援装置５０では、ユーザが、どのような状況（日時、場所、移動状況など）のもとで服薬を忘れたのかを確認することができ、その後の服薬時間についての注意を喚起できる。
【００６７】
さらに、服薬忘れの通知と同時に残りの医薬品個数を提示することにより、実際に服薬を忘れていたのか、単にボタン操作を怠っただけなのかを確認することが容易になり、医薬品の二重服薬を防止するうえでも都合がよい。
【００６８】
なお、服薬時間決定部１５は、服薬履歴管理部５１の情報をもとに、服薬忘れが生じやすい条件を求め、服薬忘れが生じやすい状況の場合には、通知部１３に、服薬を促す通知を複数回行わせるようにしてもよい。また、服薬時間決定部１５は、服薬忘れが生じやすい状況とは異なる時間に服薬時間を最適化したり、服薬忘れが生じやすい状況とは異なる場所または移動状況のときに、通知部１３に服薬を促す通知を行わせるようにしてもよい。
【００６９】
（第５の実施の形態）
次に、第５の実施の形態を、図面を参照して詳細に説明する。
図１５は、第５の実施の形態に係る服薬支援装置を示した図である。
【００７０】
図４に示した服薬支援装置３０と同様の構成要素については同一符号を付し説明を省略する。
図１５に示す服薬支援装置６０は、医薬品照合部６１を備えている。この医薬品照合部６１では、カメラなどの医薬品情報取得部１１による撮像で、医薬品のパッケージ画像またはパッケージに添付されたバーコードの画像情報を取得したものを用いて照合を行う。
【００７１】
バーコードの場合には、そのバーコードから医薬品種類に対応する商品コードが認識される。
医薬品照合部６１は、医薬品情報記憶部１２に格納された医薬品情報と商品コードから得た医薬品情報とを比較して、その照合結果によりユーザが選択した医薬品が服薬すべき医薬品か否かを通知する。ユーザが選択した医薬品が正しくない場合、ユーザに対して服薬すべき医薬品を通知する。これにより、ユーザが異なる種別の医薬品を誤って服薬するおそれがなくなる。
【００７２】
バーコードが添付されていない場合には、医薬品照合部６１は、以下のようにして照合を行う。
図１６は、図１５の服薬支援装置における服薬すべき医薬品種類を確認するための確認画面の一例を示す図である。
【００７３】
図１６（Ａ）には、画像撮影された医薬品の外形を示している。医薬品照合部６１では、商品コードに基づいて照合を行うが、パッケージにバーコードが添付されていない場合などには、医薬品自体のパッケージ外形を撮像することによって生成されるパッケージ画像を取り込むようにしている。図１６の例において、服薬支援装置４０の画面２ｆには、２種類の医薬品５ａ，５ｂの画像が表示されている。
【００７４】
医薬品照合部６１は、ネットワークを介して医薬品データベースにアクセスして、画像マッチングの手法により、該当パッケージに対応する商品コードとともに、それに対応する医薬品情報として、たとえば品名、パッケージ形状、服薬時の注意事項、効能などを取得する。
【００７５】
図１６（Ｂ）には、服薬すべき医薬品の確認画面２ｇを示している。ここでは、２種類の医薬品５ａ，５ｂの画像認識とデータベース照会によって、照合結果がユーザに通知される。
【００７６】
なお、このような医薬品照合部６１は、図５の制御部４４が、医薬品情報取得部１１、通信部４２及びメモリ４３などと連動することで実現される。
図１７は、医薬品情報比較照合処理の具体例を示すフローチャートである。
【００７７】
医薬品情報比較照合処理が開始され、医薬品のパッケージなどから読み取られるバーコード情報があるか否かが、たとえばユーザによって判断される（ステップＳ５０）。バーコード情報があれば医薬品情報取得部１１がバーコード情報の認識を行う（ステップＳ５１）。バーコードがない場合には、医薬品情報取得部１１は、医薬品自体の撮影を行い（ステップＳ５２）、医薬品照合部６１は画像認識を開始する（ステップＳ５３）。バーコード認識が行われるか、画像認識が開始されると、医薬品照合部６１は医薬品データベースに問い合わせる（ステップＳ５４）。これにより、バーコードに基づいた医薬品情報を取得される。また、画像認識を行う場合には、パッケージ画像から画像マッチングの手法により、該当パッケージに対応する商品コードが決定され、それに対応する医薬品情報が医薬品データベースから、取得される。
【００７８】
医薬品照合部６１は、取得した医薬品情報を、医薬品情報記憶部１２に格納された医薬品情報と照合し（ステップＳ５５）、照合結果に基づいて、ユーザへの通知情報を作成する（ステップＳ５６）。その後、医薬品照合部６１は、図１６（Ｂ）に示したように、ユーザへの照合結果の通知を行い（ステップＳ５７）、医薬品情報比較照合処理を終了する。
【００７９】
以上のような医薬品情報比較照合処理は、図１０で示した処理の間（たとえば、ステップＳ１４とステップＳ１５の処理の間）に、たとえば、ユーザにより医薬品情報比較照合を求められた場合に行う。
【００８０】
以上、実施の形態に基づき、本発明の服薬支援装置及び服薬支援方法の一観点について説明してきたが、これらは一例にすぎず、上記の記載に限定されるものではない。
【符号の説明】
【００８１】
１０  服薬支援装置
１１  医薬品情報取得部
１２  医薬品情報記憶部
１３  通知部
１４  服薬状況情報記憶部
１５  服薬時間決定部
１６  入力部
１７  計時部
【図１】
2011215744.tif 000003
【図２】
2011215744.tif 000004
【図３】
2011215744.tif 000005
【図４】
2011215744.tif 000006
【図５】
2011215744.tif 000007
【図６】
2011215744.tif 000008
【図７】
2011215744.tif 000009
【図８】
2011215744.tif 000010
【図９】
2011215744.tif 000011
【図１０】
2011215744.tif 000012
【図１１】
2011215744.tif 000013
【図１２】
2011215744.tif 000014
【図１３】
2011215744.tif 000015
【図１４】
2011215744.tif 000016
【図１５】
2011215744.tif 000017
【図１６】
2011215744.tif 000018
【図１７】
2011215744.tif 000019